(57)【要約】  【課題】  原稿の両面を片面づつ読み取り、この読取によって得られた画像データを他の装置に送信する場合、画像データが送信される装置が画像データのページ番号を認識することができるようにする画像読取装置を提供する。  【解決手段】本発明の画像読取装置は、全ての原稿の一方の面を読み取ってから他方の面を読み取って、全ての原稿の両面の画像データを得る画像読取手段と、上記画像読取手段が読み取った原稿の枚数を検知する枚数検知手段と、得られた順番と検知された枚数に基いて、上記画像データのページ番号を決定するページ番号決定手段と、上記ページ番号決定手段が決定したページ番号に基いて上記画像データのファイル名を作成するファイル名作成手段と、上記画像データと上記ファイル名を対応付けて送信する送信手段を備える。【選択図】  図２
2006025151.tif 000002
【特許請求の範囲】
【請求項１】
全ての原稿の一方の面を読み取ってから他方の面を読み取って、全ての原稿の両面の画像データを得る画像読取手段と、
上記画像読取手段が読み取った原稿の枚数を検知する枚数検知手段と、
得られた順番と検知された枚数に基いて、上記画像データのページ番号を決定するページ番号決定手段と、
上記ページ番号決定手段が決定したページ番号に基いて上記画像データのファイル名を作成するファイル名作成手段と、
上記画像データと上記ファイル名を対応付けて送信する送信手段を備えたことを特徴とする画像読取装置。
【請求項２】
全ての原稿の一方の面を読み取ってから他方の面を読み取って、全ての原稿の両面の画像データを得る画像読取手段と、
上記画像読取手段が読み取った原稿の枚数を検知する枚数検知手段と、
得られた順番と検知された枚数に基いて、上記画像データのページ番号を決定するページ番号決定手段と、
上記ページ番号決定手段が決定したページ番号に基いて上記画像データを連結する連結手段と、
連結された画像データを送信する送信手段を備えたことを特徴とする画像読取装置。
【発明の詳細な説明】
【技術分野】
【０００１】
本発明は、原稿の片面のみを読み取る機構を備えた画像読取装置に関する。
【背景技術】
【０００２】
従来から、原稿の両面を読み取ることが可能な画像読取装置が商品化されている。両面読取可能な画像読取装置は、原稿の両面を走査できるように、原稿の搬送路の上下に原稿を走査するための読取部が備えられていたり、原稿を反転する機構を備えるものがある。しかし、両面読取可能な画像読取装置は上記の機構が必要なため高価である。
【０００３】
両面読取可能な画像読取装置に比べて、片面のみ読み取ることができる画像読取装置は安価であるが、片面読取の画像読取装置は、読み取って得た画像データから順番にページ番号を付していくために、複数枚の原稿の両面を読み取る場合、１枚目の表面、１枚目の裏面、２枚目の表面、２枚目の裏面…の順で原稿の読み取りを行う必要がある。この順番での読み取りは原稿を手作業で裏返す作業が必要であるために、片面読取の画像読取装置で、複数枚の原稿の両面を読み取る作業にＡＤＦ（Auto  Document  Feeder）を利用することができないという問題がある。
【０００４】
裏返し作業をせずに、片面読取の画像読取装置のＡＤＦを用いて原稿の両面を読み取ることに関する記述が特開２００３−７８７３２号公報に記載されている。
【０００５】
この公報に記述された方法は、まず、３枚の原稿を重ねてＡＤＦに載置して、３枚の原稿の一方の読み取りを行い、排紙トレイに３枚の原稿が排紙されると、この３枚の原稿をそのままＡＤＦに載置して、３枚の原稿の他方の面のみの読み取りを行う。
【０００６】
上記公報に記述された方法では、原稿の各ページの画像データを予め定められた規則に従った領域に記憶し、プリンタは記憶された領域から画像データのページ番号を認識できるになっており、プリンタは、画像データをページ番号順に印刷することができるようになっている。
【特許文献１】特開２００３−７８７３２号公報
【発明の開示】
【発明が解決しようとする課題】
【０００７】
しかし、上記公報に記載の方法では、画像データをページ番号順に印刷するために、画像データを記憶する領域の規則を解釈できる手段が印刷装置に必要となる。
【０００８】
本発明は、所定の規則に沿って画像データが記憶されなくても、読み取られた画像データを受け取った装置が画像データのページ番号を認識できる画像読取装置を提供することを目的とする。
【課題を解決するための手段】
【０００９】
本発明の画像読取装置は、全ての原稿の一方の面を読み取ってから他方の面を読み取る画像読取手段と、上記画像読取手段が読み取った原稿の枚数を検知する枚数検知手段を備える。画像読取装置は、上記画像読取手段にて得られた順番と検知された原稿の枚数に基いて、上記画像データのページ番号を決定するページ番号決定手段を備える。
【００１０】
画像読取手段にて得られた順番と、原稿の枚数に基いて、ページ番号を決定することで、原稿がページ番号順に読み取られなくても、画像データのページ番号を原稿と同じページ番号を付すことができる。
【００１１】
画像読取装置は、ページ番号決定手段が決定したページ番号に基いて上記画像データのファイル名を作成するファイル名作成手段と、上記画像データと上記ファイル名を対応付けて送信する送信手段を備える。
【００１２】
以上のように、画像データは、ページ番号に基いて作成されたファイル名と対応付けて送信されるので、どのような装置でも受け取った画像データのページ番号を認識することができる。
【００１３】
また、画像読取装置は、画像データをページ番号と対応付けて送信することに代えて、ページ番号に基いて画像データを連結して、連結した画像データを送信してもよい。この場合、画像読取装置は、画像データを連結する連結手段と、連結した画像データを送信する送信手段を備える。
【００１４】
このように、連結された画像データが送信されるので、画像データを受け取った装置は
、連結順序に基いて画像データのページ番号を認識することができる。
【発明の効果】
【００１５】
以上のように、本発明によれば、画像データのページ番号を送信先の装置が認識できるように画像データにページ番号を対応付けてから送信する画像読取装置を提供することができる。
【発明を実施するための最良の形態】
【００１６】
（実施の形態１）
図１は、本発明の画像読取装置１００の外観図である。画像読取装置１００は、原稿束を載置する原稿台１０１と、原稿台１０１に載置された原稿束の上側から１枚づつ原稿をピックアップして、搬送路の下流へ搬送させるシートフィーダ１０２と、上記搬送路を搬送中の原稿を読み取る読取部１０３と、搬送路の最下流に設けられた排紙トレイ１０４を備える。
【００１７】
上記読取部１０３は、搬送中の原稿を照射する光源１３１と、原稿からの反射光を導くミラー１３２、１３３、１３４と、ミラー１３２、１３３、１３４によって導かれた反射光を受光するＣＣＤ１３５を備える。ＣＣＤ１３５から出力される信号は、図２に示す画像読取手段２０１に入力され、この画像読取手段２０１によって画像データが形成される。画像読取手段２０１は、形成した画像データにページ番号を対応付けて記憶手段２０３に記憶させる。
【００１８】
本実施の形態では、上記画像読取手段２０１にて行われる画像データとページ番号の対応付けの方式は複数あり、どの方式を採用するかはユーザが指定できるようになっている。画像読取装置１００には、操作パネル又は複数のハードキーから構成される操作部２０２が設けられており、ユーザは操作部２０２を操作することによって、画像データとページ番号の対応付けの方式を指定することができる。画像データとページ番号の対応付けの方式として、例えば、読み取られた順番でページ番号を付す方式や下記にて説明する両面原稿方式等が有る。
【００１９】
両面原稿方式は、複数枚の原稿の両面を読み取るときに便利である。複数枚の原稿の両面を読み取る場合、ユーザは、まず操作部２０２で両面原稿方式を画像読取装置１００に指示する（図３、Ｓ３０１）。ユーザにて両面原稿方式が指示されると、両面原稿方式が指示された旨が画像読取手段２０１に入力される。
【００２０】
両面原稿方式を指示すると、ユーザは、原稿を原稿台１０１に載置する。本実施の形態では、原稿台１０１に載置される原稿は表面、裏面が１ページ、２ページとなった１枚目の原稿、表面、裏面が３ページ、４ページとなった２枚目の原稿、表面、裏面が５ページ、６ページとなった３枚目の原稿、表面、裏面が７ページ、８ページとなった４枚目の原稿の４枚とする。また、本実施の形態では、原稿台１０１に原稿を載置するときは、ユーザは、図４に示すように、各原稿の奇数ページ（１、３、５、７ページ）を上に向けて、上から１、２、３、４枚目の順となるように原稿を重ねる。
【００２１】
原稿台１０１に原稿を載置すると、ユーザは、操作部２０２に設けられたスタートキーを押下する。スタートキーが押下されると、シートフィーダ１０２は、原稿台１０１に載置された最上位に載置された１枚目の原稿を排紙トレイ１０４に向けて搬送する。原稿は、この搬送途中で光源１３１にて照射される位置を通過する際に上記読取部１０３によって読み取られて（図３、Ｓ３０２）、上記画像読取手段２０１にて画像データが形成される。
【００２２】
上記画像読取手段２０１は、画像データを形成すると、図５（ａ）に示すように、画像データに、スタートボタンが押下されてから何枚目に読み取られた原稿であるかを示す値ｍを対応付けて記憶手段２０３に記憶させる（図３、Ｓ３０３）。従って、上記画像読取手段２０１は、１枚目の原稿の画像データに１を対応付けて記憶手段２０３に記憶させる。
【００２３】
シートフィーダ１０２は、１枚目の原稿を搬送した後、原稿台１０１にまだ原稿が載置されている場合（図３、Ｓ３０４）、１枚目の原稿と同様に原稿の搬送を行い、上記画像読取手段２０１は、１枚目の原稿と同じように画像データを形成して、図５（ａ）に示すように、２枚目の原稿の画像データと２を、３枚目の原稿の画像データと３を、４枚目の原稿の画像データと４を対応付けて記憶手段２０３に記憶させる。
【００２４】
上記シートフィーダ１０２は、原稿台１０１に原稿がないと判断すると、その旨を上記画像読取手段２０１に通知する（図３、Ｓ３０５）。
【００２５】
４枚の原稿が搬送されると、排紙トレイ１０４には、図６に示すように各原稿の偶数ページ（８、６、４、２ページ）が上に向いて、上から４、３、２、１枚目の原稿の順となって原稿が重なっている。
【００２６】
ユーザは４枚の原稿が排紙トレイ１０４に排紙されると、４枚の原稿の重なった状態を変えずに、そのまま原稿台１０１に４枚の原稿を原稿台１０１に載置する。
【００２７】
ユーザによって再び原稿台１０１に原稿が載置されると、シートフィーダ１０２は、上記のように原稿台１０１に載置された最上位に載置された４枚目の原稿を排紙トレイ１０４に向けて搬送する。原稿は、この搬送途中で光源１３１にて照射される位置を通過する際に上記読取部１０３によって読み取られて（図３、Ｓ３０６）、上記画像読取手段２０１にて画像データが形成される。
【００２８】
上記画像読取手段２０１は、画像データを形成すると、図５（ａ）に示すように、画像データに、ステップＳ３０５の通知後において何枚目に読み取られた原稿であるかを示す値ｍ´を対応付けて記憶手段２０３に記憶させる（図３、Ｓ３０７）。即ち、上記画像読取手段２０１は、４枚目の原稿の画像データに１を対応付けて記憶させる。
【００２９】
シートフィーダ１０２は、４枚目の原稿を搬送した後、原稿台１０１にまだ原稿が載置されている場合（図３、Ｓ３０８）、４枚目の原稿と同様に原稿の搬送を行い、上記画像読取手段２０１は、４枚目の原稿と同じように画像データを形成して、図５（ａ）に示すように、３枚目の原稿の画像データと２を、２枚目の原稿の画像データと３を、１枚目の原稿の画像データと４を対応付けて記憶手段２０３に記憶させる。
【００３０】
上記シートフィーダ１０２は、原稿台１０１に原稿がないと判断すると、その旨を上記画像読取手段２０１に通知する（図３、Ｓ３０９）。
【００３１】
ステップＳ３０９における原稿台１０１に原稿がなくなった旨の通知によって、画像読取手段２０１には、ステップＳ３０５の原稿台１０１に原稿がなくなった旨と合わせて２度原稿台１０１に原稿がなくなった旨のが通知されたことになる。上記画像読取手段２０１は、２度原稿台１０１に原稿がなくなった旨が通知されると、枚数検知手段２０４に枚数検知の指示を出す。
【００３２】
枚数検知の指示があると、上記枚数検知手段２０４は、上記記憶手段２０３に記憶された値ｍの最大値を検出する（図３、Ｓ３１０）。上記枚数検知手段２０４は、検出した最大値をページ番号決定手段２０５に通知する。
【００３３】
最大値が通知されると、上記ページ番号決定手段２０５は、記憶手段２０３に記憶された各画像データのページ番号Ｐを決定する（図３、Ｓ３１１）。
【００３４】
まず、上記ページ番号決定手段２０５は、値ｍが対応付けられた画像データのページ番号Ｐを下記の式を用いて決定する。
【００３５】
Ｐ＝２（ｍ−１）
この式のｍに各画像データに対応付けられた値ｍを代入した時のPの値がページ番号Pとなる。
【００３６】
次に、上記ページ番号決定手段２０５は、値ｍ´が対応付けられた画像データのページ番号Ｐを下記の式を用いて決定する。
【００３７】
Ｐ＝２（ｎ−ｍ´−１）
この式のｎに上記枚数決定手段２０４から通知された最大値を、ｍ´に各画像データに対応付けられた値ｍ´を代入したときのPの値がページ番号Ｐが決定される。
【００３８】
各画像データのページ番号Ｐを決定すると、各画像データのページ番号Ｐが原稿のページ番号と一致する。即ち、原稿の１ページ目の画像データのページ番号Ｐは１となり、同様に原稿の２〜８ページ目の画像データのページ番号Ｐは２〜８となる。
【００３９】
上記ページ番号決定手段２０５は、各画像データのページ番号Ｐを決定すると、各画像データのページ番号をファイル名作成手段２０６に入力する。
【００４０】
ページ番号が入力されると、ファイル名作成手段２０６は、入力されたページ番号Ｐと関連するような名称のファイル名を作成する（図３、Ｓ３１２）。例えばページ番号Ｐが１である場合、「0001.jpeg」や「scan0001.jpg」等である。ファイル名を作成すると、ファイル名作成手段２０６は、作成したファイル名とページ番号を上記ページ番号決定手段２０５に通知する。
【００４１】
上記ページ番号決定手段２０５は、図５（ｂ）に示すように、ファイル名作成手段２０６から通知されたファイル名をファイル名作成手段２０６から通知されたページ番号Ｐと対応する画像データに対応付けて上記記憶手段２０３に記憶させる。
【００４２】
送信手段２０７は、ファイル名と対応付けて上記記憶手段２０３に記憶された画像データをファイル名と共に画像読取装置１００と通信可能に接続された装置に送信される（図３、Ｓ３１３）。
【００４３】
以上のように、ページ番号順に原稿の読み取りが行われなくても、各ページの画像データは、ページ番号Ｐに基いて作成されたファイル名と共に送信されるので、送信された画像データを受け取った装置は、画像データに対応する原稿のページ番号を認識することができる。
【００４４】
（実施の形態２）
本実施の形態では、上記ページ番号決定手段２０５がページ番号Ｐを決定するまでの手順は、実施の形態１と同じである。上記ページ番号決定手段２０５は、各画像データのページ番号Ｐを決定すると、図７に示すように、各画像のページ番号Ｐを対応する画像データに対応付けて上記記憶手段２０３に記憶させる。ファイル名作成手段２０６に入力する。
【００４５】
上記ページ番号決定手段２０５は、ページ番号Ｐを全ての画像データに対応付けて記憶手段２０３に記憶させると、図８に示す連結手段８０１に画像データの連結を指示する。
【００４６】
連結が指示されると、上記連結手段８０１は、上記記憶手段２０３に記憶された各画像データをページ番号Ｐの順で連結する。画像データを連結すると、上記連結手段８０１は、連結した画像データを送信手段２０７に入力する。
【００４７】
上記送信手段２０７は、連結された画像データを画像読取装置１００と通信可能に接続された装置に送信する。
【００４８】
以上のように、上記送信手段２０７から送信されるファイルは、ページ番号Ｐに基いて連結された複数の画像データであるので、送信されたファイルを受け取った装置が、画像データをページ番号順に並び替えたりする必要がない。
【図面の簡単な説明】
【００４９】
【図１】本発明の画像読取装置の外観図。
【図２】実施の形態１の本発明の画像読取装置の機能ブロック図。
【図３】画像データがページ番号に基いて作成されたファイル名と共に送信される手順をしめすフロー図。
【図４】原稿台に原稿を載置した状態を示す図。
【図５】記憶手段が記憶する情報を模式的に示す図。
【図６】排紙トレイに原稿が排紙された状態を示す図。
【図７】記憶手段が記憶する情報を模式的に示す図。
【図８】実施の形態２の本発明の画像読取装置の機能ブロック図。
【符号の説明】
【００５０】
１００  画像読取装置
２０１  画像読取手段
２０３  記憶手段
２０４  枚数検知手段
２０５  ページ番号決定手段
２０６  ファイル名作成手段
２０７  送信手段
８０１  連結手段
【図１】
2006025151.tif 000003
【図２】
2006025151.tif 000004
【図３】
2006025151.tif 000005
【図４】
2006025151.tif 000006
【図５】
2006025151.tif 000007
【図６】
2006025151.tif 000008
【図７】
2006025151.tif 000009
【図８】
2006025151.tif 000010